(57)【要約】【課題】  指定した地域に到着した時、隣接する地域の受信可能状況を確認し、その結果を格納することができるチャンネル検索装置を提供することを目的とする。【解決手段】  チャンネル検索装置において、全体チャンネル記憶メモリ（１０５）は地域名と前記地域名に対応した既定チャンネルリストを複数個有する全体チャンネルリストを保持し、チャンネルリスト作成部（１０７）は全体チャンネルリスト内の複数の既定チャンネルリストと、ユーザの位置情報を用いて、隣接地域のチャンネルリストから受信可能であるチャンネルを組み合わせた、前記ユーザの専用チャンネルリストを作成する。【選択図】  図１
2006067270.tif 000002
【特許請求の範囲】
【請求項１】
地域名と前記地域名に対応した既定チャンネルリストを複数個有する全体チャンネルリストを保持する全体チャンネル記憶メモリと、
前記全体チャンネルリスト内の複数の既定チャンネルリストと、ユーザの位置情報を用いて、隣接地域のチャンネルリストから受信可能であるチャンネルを組み合わせた、前記ユーザの専用チャンネルリストを作成するチャンネルリスト作成手段とを備えるチャンネル検索装置。
【請求項２】
前記位置情報は、ユーザが入力することで導出される到着予定地域とすることを特徴とする請求項１に記載のチャンネル検索装置。
【請求項３】
ユーザが前記到着予定地域への到着予定時刻を入力し、チャンネルリストを切り替える時刻を設定することを特徴とする請求項２に記載のチャンネル検索装置。
【請求項４】
前記位置情報は、ＧＰＳによって取得すること特徴とする請求項１、請求項２、および請求項３の何れかに記載のチャンネル検索装置。
【請求項５】
前記専用チャンネルリストを任意の時刻に作成することをユーザに選択させる手段を備えることを特徴とする請求項１に記載のチャンネル検索装置。
【請求項６】
前記チャンネルリスト作成手段は、前記専用チャンネルリストの使用頻度と作成時刻を保持し、前記専用チャンネルリストが所定の数を超える場合、専用チャンネルリストの使用頻度が最も低く、且つ作成時刻が最新のものでない専用チャンネルリストを削除することを特徴とする請求項１に記載の受信装置。
【請求項７】
前記チャンネルリスト作成手段は、前記専用チャンネルリストを作成する場合、地域名に一つの地域に対して複数の専用チャンネルリストを登録することができ、さらにそれに対しユーザが任意に名前を登録できることを特徴とする請求項１に記載の受信装置。
【発明の詳細な説明】
【技術分野】
【０００１】
本発明は、テレビ受信においてのチャンネル検索に関し、ユーザ個人の受信環境に合わせたチャンネルリストを作成する技術に関する。
【背景技術】
【０００２】
近年、テレビ受信において、モバイルに搭載されたテレビ受信機の開発が活発である。移動体受信に関わらず、携帯受信においてもテレビ受信機搭載型の端末が発売されている。ユーザと共に移動するようなモバイル機器としてのテレビ受信機では、各放送地域をまたいでの受信が多発する。
【０００３】
従来、ある地点に着いてからチャンネル検索をする前にチャンネルリストを表示することが可能なチャンネル検索装置（特許文献１）が知られている。このチャンネル検索装置は、時刻を設定する手段と、地点とを設定する手段と、設定した地点において設定した時刻に受信可能な番組を含む番組表を作成する手段と、チャンネル情報を含んだ内蔵メモリとを備えている。そして、移動中に移動先での番組表を作成することで、移動先地点に着いてからチャンネル検索をする前にチャンネルリストを表示することが出来る。このようなチャンネル検索装置を用いれば、チャンネルリストを予め作成することが可能である。
【特許文献１】特開２００３−３０４４５７号公報
【発明の開示】
【発明が解決しようとする課題】
【０００４】
各地域に既定されたチャンネルリストは、その地域内で受信可能であるチャンネルのリストとして既定されている。但し、地形によっては、その地域に規定されているチャンネルリストに記載されているチャンネルは必ずしも受信可能であるわけではない。しかしながら、このような場合にも、上述の従来のチャンネル検索装置では、現在地においては受信できないチャンネルをもユーザに表示し、ユーザがそのチャンネルを選択しても、チューニングできないという問題点を有している。また、隣接地域の放送の受信可能状況を確認しようとすると、全局に対して受信状況を確認する必要があり、不必要に時間を要する。よって、本発明は上述の問題点を解決するもので、指定した地域に到着した時、隣接する地域の受信可能状況を確認し、その結果を格納することができるチャンネル検索装置を提供することを目的とする。
【課題を解決するための手段】
【０００５】
本発明には、チャンネル検索装置であって、地域名と前記地域名に対応した既定チャンネルリストを複数個有する全体チャンネルリストを保持する全体チャンネル記憶メモリと、
前記全体チャンネルリスト内の複数の既定チャンネルリストと、ユーザの位置情報を用いて、隣接地域のチャンネルリストから受信可能であるチャンネルを組み合わせた、前記ユーザの専用チャンネルリストを作成するチャンネルリスト作成手段（１０７）とを備える。
【発明の効果】
【０００６】
本発明に係るチャンネル検索装置においては、ユーザに対して専用のチャンネルリストを作成することが可能であり、次回同じ地域を訪れた場合、再度受信状況を確認しなくても、その地域における専用チャンネルリストを表示することが可能である。また、隣接地域のチャンネルの受信状況を確認する時間を、全局に対して受信状況を確認する場合よりも短縮でき、専用チャンネルリストを作成するまでの時間を短縮できる。
【０００７】
また、ユーザが頻繁に使う専用チャンネルリストを残すことが可能である。また、チャンネルリストを保持しておく領域を超える数の専用チャンネルリストが保持されていた場合には、ユーザの使用環境を崩すことなくチャンネルリストを削除できる。
【０００８】
さらに、一つの地域に多数の専用チャンネルリストを保持する場合には、ユーザが所望する任意の名前によって分別されたチャンネルリストをユーザに渡すことができる。よって、ユーザが認識しやすいチャンネル選択表示を提供することが出来る。
【発明を実施するための最良の形態】
【０００９】
以下に図面を参照して、本発明の実施形態にかかるチャンネル検索装置について説明する。図１に示すように、チャンネル検索装置は、メモリ０１、チューナ０２、デコーダ０３、およびＣＰＵ０４を含む。メモリ０１は、地域名と、その地域で受信可能である既定された複数のチャンネル情報から構成されるチャンネルリストを、ＣＰＵ０４に与える。
チューナ０２は、放送波で流れるデータを受信し、受信したデータをデコーダ０３に送る。また、ＣＰＵ０４から要求されたチューニング要求に応じて放送波を受信するためのチューニング要求を出す。デコーダ０３は、受け取ったデータをデコード処理し、音声、映像を出力装置に出力する。なお、図１には、音声出力装置および映像出力装置としてスピーカ１０９およびモニタ１１０がそれぞれ例示されている。
【００１０】
ＣＰＵ０４は、メモリ０１から取り出したチャンネルリストから、チューニング対象とするチャンネルのリストである調査対象チャンネルを作成し、その全てのチャンネルに対し、チューナ０２に対して放送波を受信するためのチューニング要求を出す。また、その結果から専用チャンネルリストをメモリ０１に対して書き込む。なお、ＣＰＵ０４は、それぞれ、後述する機能を実現する受信状況確認部１０２、予約設定部１０３、およびチャンネルリスト作成部１０７を含む。
【００１１】
チューナ０２において、放送波受信器１０１は、ＣＰＵ０４の受信状況確認器１０２から与えられる調査対象チャンネルリストに対してチューニング動作を行い、放送局から伝送される放送波を受信し、調査対象チャンネルが受信可能かどうかを確認し、その結果をＣＰＵ０４の受信状況確認部１０２に与える。受信状況確認部１０２は、チャンネルリスト作成部１０７からの確認要求と調査対象チャンネルを得て、チューナ０２の放送波受信器１０１に対して調査対象チャンネルリストの各チャンネルへのチューニング要求を伝える。さらに、受信状況確認部１０２は、放送波受信器１０１から、その調査結果である受信状況リストを得て、チャンネルリスト作成部１０７に与える。
【００１２】
ＣＰＵ０４において、予定設定部１０３は、ユーザが、ある地域に何時に着くという、到着予定時刻と到着予定地域を組み合わせた予定情報を入力とし、チャンネルリスト作成部１０７に該情報を予定情報として伝える。また、予定設定部１０３は、ＧＰＳを使用して位置情報を取得することも可能である。
【００１３】
図３に示すように、メモリ０１は、全体チャンネル記憶メモリ１０５および専用チャンネル記憶メモリ１０６を含む。全体チャンネル記憶メモリ１０５は、地域毎に割り当てられた受信可能である既定のチャンネルを、地域とチャンネルを組み合わせて、地域毎にチャンネルリストとして記憶する。チャンネルリストは、地域名、チャンネルから構成され、全国のチャンネルリストを保持している。専用チャンネル記憶メモリ１０６は、ある地域において、全体チャンネル記憶メモリから取り出すことが可能なチャンネルリストと、その地域における、隣接地域のチャンネル受信状況を組み合わせたチャンネルリストを記憶する。また、ユーザからの要求により、専用チャンネルリストに保存はしないが、一時的な専用チャンネルリストの保持をする場合、地域とは無関係に専用チャンネルリストを記憶しておく領域を用いて保持することも可能である。
【００１４】
図１に戻って、ＣＰＵ０４において、チャンネルリスト作成部１０７は、予定設定部１０３から伝えられた予定情報から、該時刻になったら、該地域における専用チャンネルリストが存在する場合、専用チャンネル記憶メモリ１０６から、該当する地域のチャンネルリストを、地域をキーワードとして検索し、アプリケーションに伝える。また、該地域における専用チャンネルリストが存在しなかった場合、まず全体チャンネルリスト記憶メモリが保持している隣接地域表から、該地域の隣接地域を抽出する。
【００１５】
図４に隣接地域の一例を示す。同図においては、大阪に接する５つの都道府県を隣接地域としている。図５に、これらを「隣接地域表」としてまとめたものを示す。
【００１６】
再度、図１に戻って、チャンネルリスト作成部１０７は、次に、該隣接地域のチャンネルリストを、隣接地域表を使用して、全体チャンネル記憶メモリ１０５から検索して全て取り出す。次に、全てのチャンネルリストを論理和することでチャンネルの重複を省き、調査対象チャンネルを作成する。
チャンネルリスト作成部１０７は、次に、受信状況確認部１０２に対して受信状況の確認の要求を出し、調査対象チャンネルを与える。調査対象チャンネルについて受信状況を確認した結果から得られた受信状況リストに基づいて、受信可能なチャンネルを抜き出した専用チャンネルリストを作成し、専用チャンネル記憶メモリ１０６に格納する。
【００１７】
例えば、ユーザが大阪にいたとすると、大阪で取得できる既定のチャンネルリストを全体チャンネル記憶メモリ１０５から取り出し、その隣接地域（ここでは兵庫、滋賀、京都、奈良、和歌山）のチャンネルリストから、受信可能であるチャンネルリストを組み合わせたものを専用チャンネルリストとして専用チャンネル記憶メモリ１０６に保存する。
【００１８】
また、ＣＰＵ０４において、チャンネルリスト作成部１０７は、専用チャンネルリストの使用頻度と作成時刻を保持する専用チャンネルリスト使用表を持ち、専用チャンネルリストが参照される毎、作成される毎に該表を更新する。専用チャンネルリストの数が多くなり、専用チャンネル記憶メモリ１０５の既定された限界容量を超える場合、該表から、使用頻度が最も低く、且つ作成時刻が最新のものでない専用チャンネルリストを削除することも可能とする。
【００１９】
上述の例においては、チャンネルリスト作成部１０７は、専用チャンネルリストを作成する場合、地域名に一つの地域に対して一つの専用チャンネルリストを専用チャンネル記憶メモリ１０６に保持している。しかしながら、本発明はこれに限らず、複数の専用チャンネルリストを登録することができ、さらにそれに対しユーザが任意に名前を登録することも可能とする。
【００２０】
次に、図２を参照して、本発明に係るチャンネル検索装置の動作について説明する。先ず、ステップＳ２０１において、ユーザによる、これから訪れるであろう地域と、その時の時刻を入力に応答して、それを予定設定部１０３が予定情報として保持すると共に、チャンネルリスト作成部１０７に与える。
ステップＳ２０２において、チャンネルリスト作成部１０７において、予定設定部１０３から与えられた予定情報に含まれる時刻を経過したかどうかが判断される。そして、経過していた場合には、ステップＳ２０３へ処理を進める。経過していない場合には再度経過したかどうかを判断する。
【００２１】
ステップＳ２０３において、専用チャンネル記憶メモリ１０６に予定情報の地域の専用チャンネルリストが存在するかどうかが判断される。専用チャンネルリストが存在していた場合にはステップＳ２０４へ処理を進める。存在しない場合にはステップＳ２０５へ処理を進める。
ステップＳ２０４において、予定情報に含まれる地域名から、専用チャンネル記憶メモリ１０６が検索され、該当地域の専用チャンネルリストが取り出される。そして、ステップＳ２１０に処理を進める。
ステップＳ２０５において、予定情報に含まれる地域名から、全体チャンネル記憶メモリ１０５が検索され、該当地域の全体チャンネルリストが取り出される。そして、ステップＳ２０６へ処理を進める。
【００２２】
ステップＳ２０６において、全体チャンネル記憶メモリ１０５から、予定情報に含まれる地域に隣接する地域のチャンネルリストを全て取得する。
【００２３】
ステップＳ２０７において、チャンネルリスト作成部１０７が、ステップＳ２０５とステップＳ２０６において得たチャンネルリストを、論理和を取って調査対象チャンネルリストを作成する。そして、ステップＳ２０６へ処理を進める。
【００２４】
ステップＳ２０８において、放送波受信器１０１に対して、調査対象チャンネルリストが与えられ、順に与えられたリストの全てに対して受信可能かどうかを確認し、その結果をまとめたものが受信状況表としてチャンネルリスト作成部１０７に与えられる。そして、ステップＳ２０９へ処理を進める。
【００２５】
ステップＳ２０９において、与えられた受信状況表から受信可能であるチャンネルをまとめた専用チャンネルリストが作成される。そして、ステップＳ２１０へ処理を進める。
【００２６】
ステップＳ２１０において、作成した専用チャンネルリストが専用チャンネル記憶装置１０６に保存される。そして、ステップＳ２１１へ処理を進める。
【００２７】
ステップＳ２１１において、アプリケーションに対して全体チャンネルリスト記憶メモリ１０５または専用チャンネルリスト記憶メモリ１０６から得たリストを与える。
【００２８】
上述のように、本実施に係るチャンネル検索装置においては、地域で規定されているチャンネルリストをユーザに提供するだけでなく、受信可能な他地域のチャンネルを付加したチャンネルリストを作成し、専用チャンネルリストとして受信機に保持しておくことができる。さらに、他地域の受信可能状況の確認を、全局に対して受信状況を確認するのではなく、隣接地域に限定することで、チャンネルの受信状況を確認する時間を短縮することができる。
【００２９】
また、本実施形態においては、隣接地域表を全体チャンネル記憶メモリ１０５が保持しているが、本発明はこれに限らず、任意のメモリに持たせても良い。また、本実施形態では、予定情報を用いて到着予定地のチャンネルリストを表示する時刻を設定しているが、本発明はこれに限らず、現時点で専用チャンネルを作ることをユーザに選択させる手段を備えても良い。
【産業上の利用可能性】
【００３０】
モバイルＴＶにおいて、受信可能なチャンネルをユーザに知らしめるユーザインタフェースに利用できる。
【図面の簡単な説明】
【００３１】
【図１】本発明の実施の形態に係るチャンネル検索装置の構成を示すブロック図
【図２】図１に示したチャンネル検索装置の動作を示すフローチャート図
【図３】図１に示した全体チャンネル記憶メモリおよび専用チャンネル記憶メモリのそれぞれに格納される全体チャンネルリストおよび専用チャンネルリストの一例を示す説明図
【図４】本発明における隣接地域の説明図
【図５】本発明における隣接地域表の説明図
【符号の説明】
【００３２】
０１  メモリ
０２  チューナ
０３  デコーダ
０４  ＣＰＵ
１０１  放送波受信器
１０２  受信状況確認器
１０３  予定設定器
１０４  再生器
１０５  全体チャンネル記憶メモリ
１０６  専用チャンネル記憶メモリ
１０７  チャンネルリスト作成器
【図１】
2006067270.tif 000003
【図２】
2006067270.tif 000004
【図３】
2006067270.tif 000005
【図４】
2006067270.tif 000006
【図５】
2006067270.tif 000007